(57)【特許請求の範囲】
【請求項１】
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムであって、
前記ＴＤＭ信号を通信する第１のＴＤＭ通信網を構成するパケット送信装置と、
前記ＴＤＭ信号を通信する第２のＴＤＭ通信網を構成するパケット受信装置と、
を備え、
前記パケット送信装置は、前記第１のＴＤＭ通信網を構成する他の装置から前記ＴＤＭ信号を受信し、当該受信されたＴＤＭ信号をパケットに変換し、当該変換後のパケットを前記パケット受信装置へ前記イーサネット通信網を介して送信するように構成され、
前記パケット受信装置は、前記パケット送信装置により送信されたパケットを受信し、当該受信されたパケットをＴＤＭ信号に変換し、当該変換後のＴＤＭ信号を前記第２のＴＤＭ通信網を構成する他の装置へ送信するように構成され、
前記通信中継システムは、
前記パケット送信装置により前記パケット受信装置へ送信されたパケットが当該パケット受信装置により受信されなかった場合、当該パケット送信装置が当該パケットを再び当該パケット受信装置へ送信するように構成され、
前記パケット送信装置は、
前記パケット内に、予め定められた規則に従って変化し、且つ、当該パケットに固有のパケット固有情報を挿入するように構成され、
前記パケット受信装置は、
前記受信されたパケットに含まれるパケット固有情報と、前記規則と、に基づいて、受信されなかったパケットである欠落パケットを特定する欠落パケット特定手段と、
前記欠落パケットが特定された場合、当該欠落パケットを特定するための欠落パケット特定情報を前記パケット送信装置へ送信する欠落パケット特定情報送信手段と、
を備え、
前記パケット送信装置は、
前記欠落パケット特定情報を前記パケット受信装置から受信した場合、当該受信された欠落パケット特定情報により特定されるパケットを再び当該パケット受信装置へ送信するパケット再送手段を備え、
前記欠落パケット特定情報送信手段は、
イーサネットＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するために通信されるＯＡＭ情報内に、前記欠落パケット特定情報を挿入するように構成された通信中継システム。
【請求項２】
請求項１に記載の通信中継システムであって、
前記パケット固有情報は、パケットの順序を表す情報であり、
前記パケット受信装置は、
前記欠落パケットが特定された場合、当該欠落パケットが含むパケット固有情報が表す順序以降の順序を表すパケット固有情報を含み、且つ、当該欠落パケットが受信される時点よりも前に受信されたパケットの、前記ＴＤＭ信号への変換を行わないように構成され、
前記パケット再送手段は、
前記欠落パケットが含むパケット固有情報が表す順序以降の順序を表すパケット固有情報を含むパケットを再び前記パケット受信装置へ送信するように構成され、
前記パケット受信装置は、
前記欠落パケットが受信された場合、当該欠落パケットが含むパケット固有情報が表す順序以降の順序を表すパケット固有情報を含み、且つ、当該欠落パケットが受信された時点以降に受信されたパケットの、前記ＴＤＭ信号への変換を行うように構成された通信中継システム。
【請求項３】
請求項２に記載の通信中継システムであって、
前記パケット送信装置は、
前記パケットをバッファに記憶するとともに、設定された読出位置にて当該バッファに記憶されているパケットを前記パケット受信装置へ送信するように構成され、且つ、
前記パケットを送信した場合、当該パケットが含むパケット固有情報が表す順序の次の順序を表すパケット固有情報を含むパケットが記憶されている位置に前記読出位置を設定するように構成され、
前記パケット再送手段は、
前記欠落パケット特定情報を前記パケット受信装置から受信した場合、当該受信された欠落パケット特定情報により特定されるパケットが記憶されている位置に前記読出位置を設定するように構成された通信中継システム。
【請求項４】
請求項１乃至請求項３のいずれかに記載の通信中継システムであって、
前記ＴＤＭ信号は、同期転送モード（ＳＴＭ；Ｓｙｎｃｈｒｏｎｏｕｓ  Ｔｒａｎｓｆｅｒ（Ｔｒａｎｓｍｉｓｓｉｏｎ，Ｔｒａｎｓｐｏｒｔ）  Ｍｏｄｅ）にて転送される信号である通信中継システム。
【請求項５】
イーサネット（登録商標）方式に従ったイーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継方法であって、
前記ＴＤＭ信号を通信する第１のＴＤＭ通信網を構成するパケット送信装置は、当該第１のＴＤＭ通信網を構成する他の装置から前記ＴＤＭ信号を受信し、当該受信されたＴＤＭ信号をパケットに変換し、当該変換後のパケットを、前記ＴＤＭ信号を通信する第２のＴＤＭ通信網を構成するパケット受信装置へ前記イーサネット通信網を介して送信し、
前記パケット受信装置は、前記パケット送信装置により送信されたパケットを受信し、当該受信されたパケットをＴＤＭ信号に変換し、当該変換後のＴＤＭ信号を前記第２のＴＤＭ通信網を構成する他の装置へ送信し、
前記パケット送信装置により前記パケット受信装置へ送信されたパケットが当該パケット受信装置により受信されなかった場合、当該パケット送信装置は当該パケットを再び当該パケット受信装置へ送信し、
前記パケット送信装置は、前記パケット内に、予め定められた規則に従って変化し、且つ、当該パケットに固有のパケット固有情報を挿入し、
前記パケット受信装置は、前記受信されたパケットに含まれるパケット固有情報と、前記規則と、に基づいて、受信されなかったパケットである欠落パケットを特定し、
前記パケット受信装置は、前記欠落パケットが特定された場合、当該欠落パケットを特定するための欠落パケット特定情報を前記パケット送信装置へ送信し、
前記パケット送信装置は、前記欠落パケット特定情報を前記パケット受信装置から受信した場合、当該受信された欠落パケット特定情報により特定されるパケットを再び当該パケット受信装置へ送信し、
イーサネットＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するために通信されるＯＡＭ情報内に、前記欠落パケット特定情報を挿入する、通信中継方法。
【請求項６】
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット送信装置であって、
前記ＴＤＭ信号を通信する第１のＴＤＭ通信網を構成し、
前記第１のＴＤＭ通信網を構成する他の装置から前記ＴＤＭ信号を受信し、当該受信されたＴＤＭ信号をパケットに変換し、当該変換後のパケットを、前記ＴＤＭ信号を通信する第２のＴＤＭ通信網を構成するパケット受信装置へ前記イーサネット通信網を介して送信するように構成され、
前記パケット受信装置へ送信されたパケットが当該パケット受信装置により受信されなかった場合、当該パケットを再び当該パケット受信装置へ送信するように構成され、
前記パケット内に、予め定められた規則に従って変化し、且つ、当該パケットに固有のパケット固有情報を挿入するように構成され、
前記パケット受信装置により受信されなかったパケットである欠落パケットを特定するための欠落パケット特定情報を当該パケット受信装置から受信した場合、当該受信された欠落パケット特定情報により特定されるパケットを再び当該パケット受信装置へ送信するパケット再送手段を備え、
イーサネットＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するために通信されるＯＡＭ情報内に挿入された前記欠落パケット特定情報を受信するパケット送信装置。
【請求項７】
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット受信装置であって、
前記ＴＤＭ信号を通信する第２のＴＤＭ通信網を構成し、
前記ＴＤＭ信号を通信する第１のＴＤＭ通信網を構成するパケット送信装置により送信されたパケットを前記イーサネット通信網を介して受信し、当該受信されたパケットをＴＤＭ信号に変換し、当該変換後のＴＤＭ信号を前記第２のＴＤＭ通信網を構成する他の装置へ送信するように構成され、
前記パケット送信装置により送信されたパケットが受信されなかった場合、当該パケット送信装置に、当該パケットを再び送信させるように構成され、
前記受信されたパケットに含まれるとともに、予め定められた規則に従って変化し、且つ、当該パケットに固有のパケット固有情報と、当該規則と、に基づいて、受信されなかったパケットである欠落パケットを特定する欠落パケット特定手段と、
前記欠落パケットが特定された場合、当該欠落パケットを特定するための欠落パケット特定情報を前記パケット送信装置へ送信する欠落パケット特定情報送信手段と、
を備え、
前記欠落パケット特定情報送信手段は、
イーサネットＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するために通信されるＯＡＭ情報内に、前記欠落パケット特定情報を挿入するように構成されたパケット受信装置。
【発明の詳細な説明】
【技術分野】
【０００１】
本発明は、イーサネット通信網を構成し、且つ、ＴＤＭ信号を中継する通信中継システムに関する。
【背景技術】
【０００２】
イーサネット（登録商標）方式に従ったイーサネット通信網を構成し、且つ、ＴＤＭ（Ｔｉｍｅ  Ｄｉｖｉｓｉｏｎ  Ｍｕｌｔｉｐｌｅｘ）信号を中継する通信中継システムが知られている。
【０００３】
この種の通信中継システムの一つとして、特許文献１に記載の通信中継システムは、イーサネット通信網にて擬似ワイヤ・エミュレーションを用いることにより、ＴＤＭ信号を中継する。通信中継システムは、第１のＴＤＭ通信網を構成するパケット送信装置と、第２のＴＤＭ通信網を構成するパケット受信装置と、を備える。
【０００４】
パケット送信装置は、第１のＴＤＭ通信網を構成する他の装置から受信したＴＤＭ信号をパケットに変換し、当該変換後のパケットをパケット受信装置へ送信する。パケット受信装置は、受信したパケットをＴＤＭ信号に変換し、当該変換後のＴＤＭ信号を第２のＴＤＭ通信網を構成する他の装置へ送信する。
【先行技術文献】
【特許文献】
【０００５】
【特許文献１】特開２０１１−１０１７２号公報
【発明の概要】
【発明が解決しようとする課題】
【０００６】
ところで、イーサネット通信網においては、パケット送信装置により送信されたパケットが、パケット受信装置により受信されない（パケット受信装置に到達しない）場合がある。この場合、上記通信中継システムにおいては、パケット受信装置は、パケット送信装置により受信されたＴＤＭ信号を復元することができない。
即ち、上記通信中継システムにおいては、ＴＤＭ信号を中継することができない虞があった。
【０００７】
このため、本発明の目的は、上述した課題である「ＴＤＭ信号を中継することができない場合が生じること」を解決することが可能な通信中継システムを提供することにある。
【課題を解決するための手段】
【０００８】
かかる目的を達成するため本発明の一形態である通信中継システムは、
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継するシステムである。
【０００９】
更に、この通信中継システムは、
上記ＴＤＭ信号を通信する第１のＴＤＭ通信網を構成するパケット送信装置と、
上記ＴＤＭ信号を通信する第２のＴＤＭ通信網を構成するパケット受信装置と、
を備え、
上記パケット送信装置は、上記第１のＴＤＭ通信網を構成する他の装置から上記ＴＤＭ信号を受信し、当該受信されたＴＤＭ信号をパケットに変換し、当該変換後のパケットを上記パケット受信装置へ上記イーサネット通信網を介して送信するように構成され、
上記パケット受信装置は、上記パケット送信装置により送信されたパケットを受信し、当該受信されたパケットをＴＤＭ信号に変換し、当該変換後のＴＤＭ信号を上記第２のＴＤＭ通信網を構成する他の装置へ送信するように構成され、
上記通信中継システムは、
上記パケット送信装置により上記パケット受信装置へ送信されたパケットが当該パケット受信装置により受信されなかった場合、当該パケット送信装置が当該パケットを再び当該パケット受信装置へ送信するように構成される。
【００１０】
また、本発明の他の形態である通信中継方法は、
イーサネット（登録商標）方式に従ったイーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する方法である。
【００１１】
更に、この通信中継方法は、
上記ＴＤＭ信号を通信する第１のＴＤＭ通信網を構成するパケット送信装置は、当該第１のＴＤＭ通信網を構成する他の装置から上記ＴＤＭ信号を受信し、当該受信されたＴＤＭ信号をパケットに変換し、当該変換後のパケットを、上記ＴＤＭ信号を通信する第２のＴＤＭ通信網を構成するパケット受信装置へ上記イーサネット通信網を介して送信し、
上記パケット受信装置は、上記パケット送信装置により送信されたパケットを受信し、当該受信されたパケットをＴＤＭ信号に変換し、当該変換後のＴＤＭ信号を上記第２のＴＤＭ通信網を構成する他の装置へ送信し、
上記パケット送信装置により上記パケット受信装置へ送信されたパケットが当該パケット受信装置により受信されなかった場合、当該パケット送信装置は当該パケットを再び当該パケット受信装置へ送信する方法である。
【００１２】
また、本発明の他の形態であるパケット送信装置は、
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成する装置である。
【００１３】
更に、このパケット送信装置は、
上記ＴＤＭ信号を通信する第１のＴＤＭ通信網を構成し、
上記第１のＴＤＭ通信網を構成する他の装置から上記ＴＤＭ信号を受信し、当該受信されたＴＤＭ信号をパケットに変換し、当該変換後のパケットを、上記ＴＤＭ信号を通信する第２のＴＤＭ通信網を構成するパケット受信装置へ上記イーサネット通信網を介して送信するように構成され、
上記パケット受信装置へ送信されたパケットが当該パケット受信装置により受信されなかった場合、当該パケットを再び当該パケット受信装置へ送信するように構成される。
【００１４】
また、本発明の他の形態であるパケット送信装置制御方法は、
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット送信装置に適用される方法である。
【００１５】
更に、
上記パケット送信装置は、上記ＴＤＭ信号を通信する第１のＴＤＭ通信網を構成し、
上記パケット送信装置制御方法は、
上記第１のＴＤＭ通信網を構成する他の装置から上記ＴＤＭ信号を受信し、当該受信されたＴＤＭ信号をパケットに変換し、当該変換後のパケットを、上記ＴＤＭ信号を通信する第２のＴＤＭ通信網を構成するパケット受信装置へ上記イーサネット通信網を介して送信し、
上記パケット受信装置へ送信されたパケットが当該パケット受信装置により受信されなかった場合、当該パケットを再び当該パケット受信装置へ送信する方法である。
【００１６】
また、本発明の他の形態であるパケット送信装置制御プログラムは、
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット送信装置が実行するプログラムである。
【００１７】
更に、
上記パケット送信装置は、上記ＴＤＭ信号を通信する第１のＴＤＭ通信網を構成し、
上記パケット送信装置制御プログラムは、上記パケット送信装置に、
上記第１のＴＤＭ通信網を構成する他の装置から上記ＴＤＭ信号を受信し、当該受信されたＴＤＭ信号をパケットに変換し、当該変換後のパケットを、上記ＴＤＭ信号を通信する第２のＴＤＭ通信網を構成するパケット受信装置へ上記イーサネット通信網を介して送信し、
上記パケット受信装置へ送信されたパケットが当該パケット受信装置により受信されなかった場合、当該パケットを再び当該パケット受信装置へ送信する、処理を実行させるように構成される。
【００１８】
また、本発明の他の形態であるパケット受信装置は、
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成する装置である。
【００１９】
更に、このパケット受信装置は、
上記ＴＤＭ信号を通信する第２のＴＤＭ通信網を構成し、
上記ＴＤＭ信号を通信する第１のＴＤＭ通信網を構成するパケット送信装置により送信されたパケットを上記イーサネット通信網を介して受信し、当該受信されたパケットをＴＤＭ信号に変換し、当該変換後のＴＤＭ信号を上記第２のＴＤＭ通信網を構成する他の装置へ送信するように構成され、
上記パケット送信装置により送信されたパケットが受信されなかった場合、当該パケット送信装置に、当該パケットを再び送信させるように構成される。
【００２０】
また、本発明の他の形態であるパケット受信装置制御方法は、
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット受信装置に適用される方法である。
【００２１】
更に、
上記パケット受信装置は、上記ＴＤＭ信号を通信する第２のＴＤＭ通信網を構成し、
上記パケット受信装置制御方法は、
上記ＴＤＭ信号を通信する第１のＴＤＭ通信網を構成するパケット送信装置により送信されたパケットを上記イーサネット通信網を介して受信し、当該受信されたパケットをＴＤＭ信号に変換し、当該変換後のＴＤＭ信号を上記第２のＴＤＭ通信網を構成する他の装置へ送信し、
上記パケット送信装置により送信されたパケットが受信されなかった場合、当該パケット送信装置に、当該パケットを再び送信させる、方法である。
【００２２】
また、本発明の他の形態であるパケット受信装置制御プログラムは、
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット受信装置が実行するプログラムである。
【００２３】
更に、
上記パケット受信装置は、上記ＴＤＭ信号を通信する第２のＴＤＭ通信網を構成し、
上記パケット受信装置制御プログラムは、上記パケット受信装置に、
上記ＴＤＭ信号を通信する第１のＴＤＭ通信網を構成するパケット送信装置により送信されたパケットを上記イーサネット通信網を介して受信し、当該受信されたパケットをＴＤＭ信号に変換し、当該変換後のＴＤＭ信号を上記第２のＴＤＭ通信網を構成する他の装置へ送信し、
上記パケット送信装置により送信されたパケットが受信されなかった場合、当該パケット送信装置に、当該パケットを再び送信させる、処理を実行させるように構成される。
【発明の効果】
【００２４】
本発明は、以上のように構成されることにより、ＴＤＭ信号を確実に中継することができる。
【図面の簡単な説明】
【００２５】
【図１】本発明の第１実施形態に係る通信中継システムの概略構成を表す図である。
【図２】本発明の第１実施形態に係るパケット送信装置の構成を表すブロック図である。
【図３】本発明の第１実施形態に係るパケット送信装置が生成するパケットを概念的に示した説明図である。
【図４】本発明の第１実施形態に係るパケット受信装置の構成を表すブロック図である。
【図５】本発明の第１実施形態に係るパケット受信装置が生成するパケット再送指示メッセージを概念的に示した説明図である。
【図６】本発明の第１実施形態に係るパケット送信装置が実行する処理を示したフローチャートである。
【図７】本発明の第１実施形態に係るパケット送信装置が実行する処理を示したフローチャートである。
【図８】本発明の第１実施形態に係るパケット送信装置が実行する処理を示したフローチャートである。
【図９】本発明の第１実施形態に係るパケット受信装置が実行する処理を示したフローチャートである。
【図１０】本発明の第１実施形態の変形例に係る通信中継システムの作動を概念的に示した説明図である。
【図１１】本発明の第２実施形態に係る通信中継システムの概略構成を表す図である。
【発明を実施するための形態】
【００２６】
以下、本発明に係る、通信中継システム、通信中継方法、パケット送信装置、パケット送信装置制御方法、パケット送信装置制御プログラム、パケット受信装置、パケット受信装置制御方法、及び、パケット受信装置制御プログラム、の各実施形態について図１〜図１１を参照しながら説明する。
【００２７】
＜第１実施形態＞
（構成）
図１に示したように、第１実施形態に係る通信中継システム１は、パケット送信装置１１と、パケット受信装置１２と、複数の転送装置２１，２２，…と、を備える。
【００２８】
パケット送信装置１１、パケット受信装置１２、及び、複数の転送装置２１，２２，…のそれぞれは、通信を行う通信装置である。パケット送信装置１１、パケット受信装置１２、及び、複数の転送装置２１，２２，…は、イーサネット通信網ＮＷＥを構成している。イーサネット通信網ＮＷＥは、イーサネット（登録商標）方式に従った通信網である。
【００２９】
パケット送信装置１１は、ＴＤＭ（Ｔｉｍｅ  Ｄｉｖｉｓｉｏｎ  Ｍｕｌｔｉｐｌｅｘ（Ｍｕｌｔｉｐｌｅｘｉｎｇ））信号を通信（伝送）する第１のＴＤＭ通信網ＮＷＴ１も構成している。本例では、ＴＤＭ信号は、同期転送モード（ＳＴＭ；Ｓｙｎｃｈｒｏｎｏｕｓ  Ｔｒａｎｓｆｅｒ（Ｔｒａｎｓｍｉｓｓｉｏｎ，Ｔｒａｎｓｐｏｒｔ）  Ｍｏｄｅ）にて転送される信号である。同様に、パケット受信装置１２は、ＴＤＭ信号を通信する第２のＴＤＭ通信網ＮＷＴ２も構成している。
【００３０】
パケット送信装置１１は、第１のＴＤＭ通信網ＮＷＴ１を構成する他の装置から、第１のＴＤＭ通信網ＮＷＴ１を介してＴＤＭ信号を受信する。パケット送信装置１１は、受信されたＴＤＭ信号をパケットに変換する。パケット送信装置１１は、変換後のパケットをパケット受信装置１２へイーサネット通信網ＮＷＥを介して送信する。
【００３１】
また、パケット受信装置１２は、パケット送信装置１１により送信されたパケットを、イーサネット通信網ＮＷＥを介して受信する。パケット受信装置１２は、パケット送信装置１１が第１のＴＤＭ通信網ＮＷＴ１を介して受信したＴＤＭ信号を復元するように、受信されたパケットをＴＤＭ信号に変換する。パケット受信装置１２は、変換後のＴＤＭ信号を第２のＴＤＭ通信網ＮＷＴ２を構成する他の装置へ第２のＴＤＭ通信網ＮＷＴ２を介して送信する。
【００３２】
複数の転送装置２１，２２，…は、パケット送信装置１１から受信したパケットをパケット受信装置１２へ伝送（転送）する。
【００３３】
本例では、通信中継システム１は、イーサネット通信網ＮＷＥにて擬似ワイヤ・エミュレーション（ＰＷＥ；Ｐｓｅｕｄｏ−Ｗｉｒｅ  Ｅｍｕｌａｔｉｏｎ）を用いることにより、ＴＤＭ信号を中継するように構成される。
【００３４】
更に、通信中継システム１は、パケット送信装置１１によりパケット受信装置１２へ送信されたパケットがパケット受信装置１２により受信されなかった場合、パケット送信装置１１が当該パケットを再びパケット受信装置１２へ送信するように構成される。
【００３５】
より具体的に述べると、パケット送信装置１１は、図２に示したように、パケット変換部１１０と、バッファ（パケット再送手段の一部）１２０と、パケット送信部（パケット再送手段の一部）１３０と、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）処理部１４０と、を備える。
【００３６】
パケット変換部１１０は、第１のＴＤＭ通信網ＮＷＴ１を構成する他の装置から、第１のＴＤＭ通信網ＮＷＴ１を介してＴＤＭ信号を受信する。パケット変換部１１０は、受信されたＴＤＭ信号をパケットに変換する。
【００３７】
このとき、パケット変換部１１０は、パケット内に、予め定められた規則に従って変化し、且つ、当該パケットに固有のパケット固有情報を挿入する。本例では、パケット固有情報は、パケットの順序を表す情報である。具体的には、パケット固有情報は、シーケンス番号を表す情報である。シーケンス番号は、パケットが生成される毎に、予め設定された増分（本例では、１）だけ増加される整数である。
【００３８】
本例では、パケット変換部１１０は、図３に示したように、ＩＥＴＦ（Ｉｎｔｅｒｎｅｔ  Ｅｎｇｉｎｅｅｒｉｎｇ  Ｔａｓｋ  Ｆｏｒｃｅ）によるＲＦＣ（Ｒｅｑｕｅｓｔ  ｆｏｒ  Ｃｏｍｍｅｎｔｓ）５０８６に従って、パケットを生成する。パケット変換部１１０は、１６ビットを有するＣｏｎｔｒｏｌ  Ｗｏｒｄ（ＣＷＳ）に、パケット固有情報を格納する。
【００３９】
パケット変換部１１０は、生成されたパケット（変換後のパケット）をバッファ１２０へ出力する。
【００４０】
バッファ１２０は、パケット変換部１１０により出力されたパケットを記憶する。バッファ１２０が有する記憶領域の容量は、単位時間あたりにパケット送信装置１１が受信するＴＤＭ信号のデータ量と、単位時間あたりにイーサネット通信網ＮＷＥを介して伝送可能なデータ量と、に基づいて、十分に大きい容量に設定されることが好適である。
【００４１】
バッファ１２０は、パケット変換部１１０によりパケットが出力された場合において、当該パケットを記憶可能な記憶領域が存在しないとき、既に記憶されているパケットのうちの、最先の順序（本例では、最小のシーケンス番号）を表すパケット固有情報を含むパケットを、当該出力されたパケットに更新する（即ち、上書きする）。
【００４２】
パケット送信部１３０は、バッファ１２０に対して、任意の読出位置を設定可能に構成される。パケット送信部１３０は、設定された読出位置にてバッファ１２０に記憶されているパケットを読み出し、読み出されたパケットをパケット受信装置１２へイーサネット通信網ＮＷＥを介して送信する。
【００４３】
パケット送信部１３０は、パケットを送信する毎に、当該パケットが含むパケット固有情報が表す順序の次の順序を表すパケット固有情報を含むパケットが記憶されている位置に読出位置を設定する。
【００４４】
ＯＡＭ処理部１４０は、ＯＡＭ情報（本例では、ＯＡＭフレーム）を受信する。ＯＡＭ情報は、イーサネットＯＡＭ機能を実現するために通信される情報である。イーサネットＯＡＭ機能は、通信中継システム１を保守及び管理するための機能である。例えば、イーサネットＯＡＭ機能は、通信装置間の接続を確認する機能等である。
【００４５】
イーサネットＯＡＭ機能は、例えば、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）  Ｙ．１７３１及びＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１ａｇにより規定されている。
【００４６】
ＯＡＭ処理部１４０は、受信されたＯＡＭ情報に基づいて、イーサネットＯＡＭ機能を実現するための処理を実行する。
【００４７】
更に、ＯＡＭ処理部１４０は、パケット再送部（パケット再送手段の一部）１４１を備える。パケット再送部１４１は、受信されたＯＡＭ情報がパケット再送指示メッセージであるか否かを判定する。パケット再送指示メッセージは、欠落パケット特定情報を含む。欠落パケット特定情報は、パケット受信装置１２により受信されなかったパケットである欠落パケットを特定するための情報である。本例では、欠落パケット特定情報は、欠落パケットに含まれるパケット固有情報である。
【００４８】
パケット再送部１４１は、受信されたＯＡＭ情報がパケット再送指示メッセージである場合、当該パケット再送指示メッセージに含まれる欠落パケット特定情報を取得する。パケット再送部１４１は、取得された欠落パケット特定情報を含むパケット再送指示をパケット送信部１３０へ出力する。パケット再送指示は、パケットを再び送信する旨を指示する情報である。
【００４９】
パケット送信部１３０は、パケット再送部１４１によりパケット再送指示が出力された場合、パケット再送指示に含まれる欠落パケット特定情報と同一のパケット固有情報を含むパケットが記憶されている位置に読出位置を設定する。
【００５０】
このような構成により、パケット送信部１３０は、パケット再送指示に含まれる欠落パケット特定情報と同一のパケット固有情報（即ち、欠落パケットが含むパケット固有情報）が表す順序以降の順序を表すパケット固有情報を含むパケットを再びパケット受信装置１２へ送信する。
【００５１】
例えば、欠落パケットが、シーケンス番号としての３を表すパケット固有情報を含む場合、パケット送信部１３０は、３以上のシーケンス番号を表すパケット固有情報を含むパケットを再びパケット受信装置１２へ送信する。
【００５２】
また、パケット受信装置１２は、図４に示したように、再送判定部２１０と、ＴＤＭ信号変換部２２０と、ＯＡＭフレーム送信部（欠落パケット特定情報送信手段）２３０と、を備える。
【００５３】
再送判定部２１０は、パケット固有情報取得部２１１と、パケット制御部２１２と、欠落パケット特定部（欠落パケット特定手段）２１３と、を備える。
【００５４】
パケット固有情報取得部２１１は、パケット送信装置１１により送信されたパケットを、イーサネット通信網ＮＷＥを介して受信する。パケット固有情報取得部２１１は、受信されたパケットをパケット制御部２１２へ出力する。更に、パケット固有情報取得部２１１は、受信されたパケットに含まれるパケット固有情報を取得する。パケット固有情報取得部２１１は、取得されたパケット固有情報を欠落パケット特定部２１３へ出力する。
【００５５】
パケット制御部２１２は、パケット固有情報取得部２１１により出力されたパケットを保持する。パケット制御部２１２は、欠落パケット特定部２１３により出力される出力指示を受け付けた場合、保持しているパケットをＴＤＭ信号変換部２２０へ出力する。一方、パケット制御部２１２は、欠落パケット特定部２１３により出力される廃棄指示を受け付けた場合、保持しているパケットを廃棄する。
【００５６】
欠落パケット特定部２１３は、前回、出力指示を出力する基となったパケット固有情報を保持する。欠落パケット特定部２１３は、パケット固有情報取得部２１１により出力されたパケット固有情報を受け付ける。欠落パケット特定部２１３は、受け付けられたパケット固有情報と、保持しているパケット固有情報と、に基づいて欠落パケットが存在するか否かを判定する。
【００５７】
具体的には、欠落パケット特定部２１３は、保持しているパケット固有情報を、上記規則に従って変化させた情報と、受け付けられたパケット固有情報と、が一致している場合、欠落パケットが存在しないと判定する。本例では、欠落パケット特定部２１３は、保持しているパケット固有情報が表すシーケンス番号に上記増分（本例では、１）を加えた値と、受け付けられたパケット固有情報が表すシーケンス番号と、が一致している場合、欠落パケットが存在しないと判定する。
【００５８】
一方、欠落パケット特定部２１３は、保持しているパケット固有情報を、上記規則に従って変化させた情報と、受け付けられたパケット固有情報と、が異なる場合、欠落パケットが存在すると判定する。
【００５９】
欠落パケット特定部２１３は、欠落パケットが存在しないと判定された場合、保持しているパケット固有情報を、受け付けられたパケット固有情報に更新する。この場合、更に、欠落パケット特定部２１３は、パケット制御部２１２へ出力指示を出力する。
【００６０】
一方、欠落パケット特定部２１３は、欠落パケットが存在すると判定された場合、パケット制御部２１２へ廃棄指示を出力する。この場合、更に、欠落パケット特定部２１３は、欠落パケットを特定する。具体的には、欠落パケット特定部２１３は、保持しているパケット固有情報を上記規則に従って変化させた情報と同一のパケット固有情報を含むパケットを欠落パケットとして特定する。
【００６１】
そして、欠落パケット特定部２１３は、特定された欠落パケットを特定するための欠落パケット特定情報（本例では、パケット固有情報）をＯＡＭフレーム送信部２３０へ出力する。
【００６２】
ＴＤＭ信号変換部２２０は、パケット送信装置１１が第１のＴＤＭ通信網ＮＷＴ１を介して受信したＴＤＭ信号を復元するように、パケット制御部２１２により出力されたパケットをＴＤＭ信号に変換する。具体的には、ＴＤＭ信号変換部２２０は、パケットに含まれるパケット固有情報に基づいてパケットをＴＤＭ信号に変換する。
【００６３】
ＴＤＭ信号変換部２２０は、変換後のＴＤＭ信号を第２のＴＤＭ通信網ＮＷＴ２を構成する他の装置へ第２のＴＤＭ通信網ＮＷＴ２を介して送信する。
【００６４】
ところで、上述したように、欠落パケット特定部２１３は、前回、出力指示を出力する基となったパケット固有情報を、上記規則に従って変化させた情報と、受け付けられたパケット固有情報と、が異なる場合、廃棄指示を出力する。その後、欠落パケット特定部２１３は、欠落パケットを受信することにより、再び出力指示を出力する。
【００６５】
従って、パケット受信装置１２は、欠落パケットが特定された（欠落パケットが存在する）場合、当該欠落パケットが含むパケット固有情報が表す順序以降の順序を表すパケット固有情報を含み、且つ、当該欠落パケットが受信される時点よりも前に受信されたパケットの、ＴＤＭ信号への変換を行わないように構成されている、と言うことができる。
【００６６】
更に、パケット受信装置１２は、欠落パケットが受信された場合、当該欠落パケットが含むパケット固有情報が表す順序以降の順序を表すパケット固有情報を含み、且つ、当該欠落パケットが受信された時点以降に受信されたパケットの、ＴＤＭ信号への変換を行うように構成されている、と言うことができる。
これによれば、ＴＤＭ信号を確実に中継することができる。
【００６７】
ＯＡＭフレーム送信部２３０は、ＯＡＭ情報（本例では、ＯＡＭフレーム）を生成し、生成されたＯＡＭ情報をイーサネット通信網ＮＷＥを介して送信する。例えば、ＯＡＭフレームは、ＣＣ（Ｃｏｎｔｉｎｕｉｔｙ  Ｃｈｅｃｋ）メッセージ、ＶＳ（Ｖｅｎｄｏｒ  Ｓｐｅｃｉｆｉｃ）メッセージ、及び、ＬＬ（Ｌｏｓｓ  Ｍｅａｓｕｒｅｍｅｎｔ）メッセージ等である。
【００６８】
更に、ＯＡＭフレーム送信部２３０は、パケット再送指示メッセージ生成部２３１を備える。パケット再送指示メッセージ生成部２３１は、欠落パケット特定部２１３により欠落パケット特定情報が出力された場合、欠落パケット特定情報を含むパケット再送指示メッセージを生成する。本例では、パケット再送指示メッセージ生成部２３１は、パケット再送指示メッセージをＯＡＭ情報として生成する。
【００６９】
即ち、パケット再送指示メッセージ生成部２３１は、イーサネットＯＡＭ機能を実現するために通信されるＯＡＭ情報内に、欠落パケット特定情報を挿入するように構成されている、と言うことができる。
【００７０】
具体的には、パケット再送指示メッセージ生成部２３１は、図５に示したように、ＩＴＵ−Ｔ  Ｙ．１７３１にて規定されているＶＳメッセージとしてパケット再送指示メッセージを生成する。パケット再送指示メッセージ生成部２３１は、Ｓｅｑｕｅｎｃｅ  Ｎｕｍｂｅｒ（ＳＮ）に、欠落パケット特定情報を格納する。
【００７１】
なお、パケット再送部１４１は、ＯｐＣｏｄｅ（ＯＣ）とＳｕｂＯｐＣｏｄｅ（ＳＯＣ）に基づいて、受信されたＯＡＭ情報がパケット再送指示メッセージであるか否かを判定する。
【００７２】
ＯＡＭフレーム送信部２３０は、パケット再送指示メッセージ生成部２３１により生成されたパケット再送指示メッセージを、イーサネット通信網ＮＷＥを介してパケット送信装置１１へ送信する。
【００７３】
（作動）
次に、上述した通信中継システム１の作動について、図６乃至図９に示したフローチャートを参照しながら説明する。
【００７４】
パケット送信装置１１は、図６に示した処理を実行するようになっている。
具体的に述べると、パケット送信装置１１は、予め設定された受信期間に亘ってＴＤＭ信号を受信するまで待機する（ステップＳ１０１）。なお、パケット送信装置１１は、受信されたＴＤＭ信号のデータサイズが予め設定された受信サイズに到達するまで待機するように構成されていてもよい。
【００７５】
そして、パケット送信装置１１は、ＴＤＭ信号をパケットに変換する（ステップＳ１０２）。このとき、パケット送信装置１１は、パケットにパケット固有情報を挿入する。次いで、パケット送信装置１１は、変換後のパケットをバッファ１２０に記憶させる（ステップＳ１０３）。そして、パケット送信装置１１は、ステップＳ１０１へ戻り、ステップＳ１０１〜ステップＳ１０３の処理を繰り返し実行する。
【００７６】
また、パケット送信装置１１は、図７に示した処理を実行するようになっている。
具体的に述べると、パケット送信装置１１は、前回、送信したパケットが含むパケット固有情報が表す順序の次の順序を表すパケット固有情報を含むパケットが記憶されている位置に読出位置を更新（設定）する（ステップＳ２０１）。
【００７７】
例えば、パケット送信装置１１は、前回、送信したパケットが含むパケット固有情報が表すシーケンス番号が３である場合、シーケンス番号としての４を表すパケット固有情報を含むパケットが記憶されている位置に読出位置を設定する。
【００７８】
次いで、パケット送信装置１１は、更新後の読出位置にてバッファ１２０に記憶されているパケットを読み出す（ステップＳ２０２）。そして、パケット送信装置１１は、読み出されたパケットをパケット受信装置１２へイーサネット通信網ＮＷＥを介して送信する（ステップＳ２０３）。次いで、パケット送信装置１１は、ステップＳ２０１へ戻り、ステップＳ２０１〜ステップＳ２０３の処理を繰り返し実行する。
【００７９】
また、パケット送信装置１１は、図８に示した処理を実行するようになっている。
具体的に述べると、パケット送信装置１１は、ＯＡＭ情報を受信するまで待機する（ステップＳ３０１）。そして、パケット送信装置１１は、ＯＡＭ情報を受信すると、受信されたＯＡＭ情報がパケット再送指示メッセージであるか否かを判定する（ステップＳ３０２）。
【００８０】
受信されたＯＡＭ情報がパケット再送指示メッセージでない場合、パケット送信装置１１は、受信されたＯＡＭ情報に基づいて、イーサネットＯＡＭ機能を実現するための処理を実行する（ステップＳ３０３）。次いで、パケット送信装置１１は、ステップＳ３０１へ戻り、ステップＳ３０１〜ステップＳ３０６の処理を繰り返し実行する。
【００８１】
一方、受信されたＯＡＭ情報がパケット再送指示メッセージである場合、パケット送信装置１１は、パケット再送指示メッセージに含まれる欠落パケット特定情報と同一のパケット固有情報を含むパケットが記憶されている位置に読出位置を設定する（ステップＳ３０４）。
【００８２】
そして、パケット送信装置１１は、設定後の読出位置にてバッファ１２０に記憶されているパケット（即ち、欠落パケット）を読み出す（ステップＳ３０５）。そして、パケット送信装置１１は、読み出されたパケットをパケット受信装置１２へイーサネット通信網ＮＷＥを介して送信する（ステップＳ３０６）。次いで、パケット送信装置１１は、ステップＳ３０１へ戻り、ステップＳ３０１〜ステップＳ３０６の処理を繰り返し実行する。
【００８３】
更に、パケット送信装置１１は、欠落パケットの送信後、図７に示した処理を実行することにより、欠落パケットが含むパケット固有情報が表す順序以降の順序を表すパケット固有情報を含むパケットを、順次、送信する。
【００８４】
また、パケット受信装置１２は、図９に示した処理を実行するようになっている。
具体的に述べると、パケット受信装置１２は、パケットを受信するまで待機する（ステップＳ４０１）。
【００８５】
そして、パケット受信装置１２は、パケットを受信すると、受信されたパケットに含まれるパケット固有情報と、保持しているパケット固有情報（即ち、前回、受信されたパケットに含まれるパケット固有情報）と、に基づいて、欠落パケットが存在するか否かを判定する（ステップＳ４０２）。
【００８６】
欠落パケットが存在する場合、パケット受信装置１２は、欠落パケットを特定し、当該欠落パケットを特定するための欠落パケット特定情報を含むパケット再送指示メッセージを、イーサネット通信網ＮＷＥを介してパケット送信装置１１へ送信する（ステップＳ４０３）。
【００８７】
次いで、パケット受信装置１２は、受信されたパケットのうちの、上記特定された欠落パケットが含むパケット固有情報が表す順序以降の順序を表すパケット固有情報を含むパケットを廃棄する（ステップＳ４０４）。
【００８８】
そして、パケット受信装置１２は、欠落パケットを受信したか否かを判定する（ステップＳ４０５）。パケット受信装置１２は、欠落パケットを受信するまで、ステップＳ４０４の処理を繰り返し実行する。そして、欠落パケットを受信すると、パケット受信装置１２は、パケットの廃棄を終了する。
【００８９】
一方、欠落パケットが存在しない場合、パケット受信装置１２は、ステップＳ４０３〜ステップＳ４０５の処理を実行することなくステップＳ４０６へ進む。
【００９０】
次いで、パケット受信装置１２は、受信されたパケットのうちの、廃棄されていないパケットをＴＤＭ信号に変換する（ステップＳ４０６）。このとき、パケット受信装置１２は、パケットに含まれるパケット固有情報が表す順序に従ってパケットをＴＤＭ信号に変換する。
【００９１】
そして、パケット受信装置１２は、変換後のＴＤＭ信号を第２のＴＤＭ通信網ＮＷＴ２を構成する他の装置へ第２のＴＤＭ通信網ＮＷＴ２を介して送信する（ステップＳ４０７）。次いで、パケット受信装置１２は、ステップＳ４０１へ戻り、ステップＳ４０１〜ステップＳ４０７の処理を繰り返し実行する。
【００９２】
以上、説明したように、第１実施形態に係る通信中継システム１によれば、パケット送信装置１１により送信されたパケットがパケット受信装置１２により受信されなかった場合、パケット送信装置１１が当該パケットを再び送信する。これにより、すべてのパケットをパケット送信装置１１からパケット受信装置１２へ確実に伝送することができる。この結果、ＴＤＭ信号を確実に中継することができる。
【００９３】
更に、第１実施形態に係る通信中継システム１は、イーサネットＯＡＭ機能を実現するために通信されるＯＡＭ情報内に、欠落パケット特定情報を挿入するように構成される。
【００９４】
これによれば、欠落パケットを特定するための欠落パケット特定情報を、パケット受信装置１２からパケット送信装置１１へ容易に伝送することができる。
【００９５】
なお、第１実施形態に係る通信中継システム１は、第１のＴＤＭ通信網ＮＷＴ１から第２のＴＤＭ通信網ＮＷＴ２への方向のみにてＴＤＭ信号を中継するように構成されていたが、第１のＴＤＭ通信網ＮＷＴ１から第２のＴＤＭ通信網ＮＷＴ２への第１の方向、及び、第２のＴＤＭ通信網ＮＷＴ２から第１のＴＤＭ通信網ＮＷＴ１への第２の方向、のそれぞれにて（即ち、双方向にて）ＴＤＭ信号を中継するように構成されていてもよい。
【００９６】
この場合、通信中継システム１は、パケット送信装置１１がパケット受信装置１２の機能も有し、且つ、パケット受信装置１２がパケット送信装置１１の機能も有するように構成されることが好適である。これによれば、双方向のそれぞれにて、欠落パケットを再送することができる。
【００９７】
この場合、通信中継システム１は、パケット再送指示メッセージ、及び、ＯＡＭフレームを含むトラフィックと、ユーザデータを含むトラフィックと、を混在させて伝送するように構成されていてもよい。
【００９８】
また、第１実施形態に係る通信中継システム１は、パケット再送指示メッセージをＬＭメッセージとして送信するように構成されていたが、パケット再送指示メッセージをＶＳメッセージ以外のメッセージ（ＣＣメッセージ、又は、ＬＭメッセージ）として送信するように構成されていてもよい。
【００９９】
また、第１実施形態の変形例に係る通信中継システム１は、欠落パケットを複数、送信するように構成されていてもよい。例えば、パケット送信装置１１は、図１０に概念的に示したように、パケット再送指示メッセージを受信した場合、パケット再送指示メッセージに含まれる欠落パケット特定情報により特定される欠落パケットの送信を３回、繰り返すように構成されていてもよい。これにより、再び送信される（再送される）欠落パケットがパケット受信装置１２により受信されない可能性を十分に低減することができる。
【０１００】
＜第２実施形態＞
次に、本発明の第２実施形態に係る通信中継システムについて図１１を参照しながら説明する。
第２実施形態に係る通信中継システム１Ａは、
イーサネット（登録商標）方式に従ったイーサネット通信網ＮＷＥを構成し、且つ、当該イーサネット通信網ＮＷＥにて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継するシステムである。
【０１０１】
更に、この通信中継システム１Ａは、
上記ＴＤＭ信号を通信する第１のＴＤＭ通信網ＮＷＴ１を構成するパケット送信装置１１と、
上記ＴＤＭ信号を通信する第２のＴＤＭ通信網ＮＷＴ２を構成するパケット受信装置１２と、
を備える。
【０１０２】
上記パケット送信装置１１は、上記第１のＴＤＭ通信網ＮＷＴ１を構成する他の装置から上記ＴＤＭ信号を受信し、当該受信されたＴＤＭ信号をパケットに変換し、当該変換後のパケットを上記パケット受信装置１２へ上記イーサネット通信網ＮＷＥを介して送信するように構成される。
【０１０３】
上記パケット受信装置１２は、上記パケット送信装置１１により送信されたパケットを受信し、当該受信されたパケットをＴＤＭ信号に変換し、当該変換後のＴＤＭ信号を上記第２のＴＤＭ通信網ＮＷＴ２を構成する他の装置へ送信するように構成される。
【０１０４】
上記通信中継システム１Ａは、
上記パケット送信装置１１により上記パケット受信装置１２へ送信されたパケットが当該パケット受信装置１２により受信されなかった場合、当該パケット送信装置１１が当該パケットを再び当該パケット受信装置１２へ送信するように構成される。
【０１０５】
これによれば、パケット送信装置１１により送信されたパケットがパケット受信装置１２により受信されなかった場合、パケット送信装置１１が当該パケットを再び送信する。これにより、すべてのパケットをパケット送信装置１１からパケット受信装置１２へ確実に伝送することができる。この結果、ＴＤＭ信号を確実に中継することができる。
【０１０６】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１０７】
なお、上記各実施形態において通信中継システムの各機能は、回路等のハードウェアにより実現されていた。ところで、パケット送信装置、及び、パケット受信装置のそれぞれは、処理装置と、プログラム（ソフトウェア）を記憶する記憶装置と、を備えるとともに、処理装置がそのプログラムを実行することにより、各機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１０８】
また、上記実施形態の他の変形例として、上述した実施形態及び変形例の任意の組み合わせが採用されてもよい。
【０１０９】
＜付記＞
上記実施形態の一部又は全部は、以下の付記のように記載され得るが、以下には限られない。
【０１１０】
（付記１）
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムであって、
前記ＴＤＭ信号を通信する第１のＴＤＭ通信網を構成するパケット送信装置と、
前記ＴＤＭ信号を通信する第２のＴＤＭ通信網を構成するパケット受信装置と、
を備え、
前記パケット送信装置は、前記第１のＴＤＭ通信網を構成する他の装置から前記ＴＤＭ信号を受信し、当該受信されたＴＤＭ信号をパケットに変換し、当該変換後のパケットを前記パケット受信装置へ前記イーサネット通信網を介して送信するように構成され、
前記パケット受信装置は、前記パケット送信装置により送信されたパケットを受信し、当該受信されたパケットをＴＤＭ信号に変換し、当該変換後のＴＤＭ信号を前記第２のＴＤＭ通信網を構成する他の装置へ送信するように構成され、
前記通信中継システムは、
前記パケット送信装置により前記パケット受信装置へ送信されたパケットが当該パケット受信装置により受信されなかった場合、当該パケット送信装置が当該パケットを再び当該パケット受信装置へ送信するように構成された通信中継システム。
【０１１１】
これによれば、パケット送信装置により送信されたパケットがパケット受信装置により受信されなかった場合、パケット送信装置が当該パケットを再び送信する。これにより、すべてのパケットをパケット送信装置からパケット受信装置へ確実に伝送することができる。この結果、ＴＤＭ信号を確実に中継することができる。
【０１１２】
（付記２）
付記１に記載の通信中継システムであって、
前記パケット送信装置は、
前記パケット内に、予め定められた規則に従って変化し、且つ、当該パケットに固有のパケット固有情報を挿入するように構成され、
前記パケット受信装置は、
前記受信されたパケットに含まれるパケット固有情報と、前記規則と、に基づいて、受信されなかったパケットである欠落パケットを特定する欠落パケット特定手段と、
前記欠落パケットが特定された場合、当該欠落パケットを特定するための欠落パケット特定情報を前記パケット送信装置へ送信する欠落パケット特定情報送信手段と、
を備え、
前記パケット送信装置は、
前記欠落パケット特定情報を前記パケット受信装置から受信した場合、当該受信された欠落パケット特定情報により特定されるパケットを再び当該パケット受信装置へ送信するパケット再送手段を備える通信中継システム。
【０１１３】
（付記３）
付記２に記載の通信中継システムであって、
前記欠落パケット特定情報送信手段は、
イーサネットＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するために通信されるＯＡＭ情報内に、前記欠落パケット特定情報を挿入するように構成された通信中継システム。
【０１１４】
これによれば、欠落パケットを特定するための欠落パケット特定情報を、パケット受信装置からパケット送信装置へ容易に伝送することができる。
【０１１５】
（付記４）
付記２又は付記３に記載の通信中継システムであって、
前記パケット固有情報は、パケットの順序を表す情報であり、
前記パケット受信装置は、
前記欠落パケットが特定された場合、当該欠落パケットが含むパケット固有情報が表す順序以降の順序を表すパケット固有情報を含み、且つ、当該欠落パケットが受信される時点よりも前に受信されたパケットの、前記ＴＤＭ信号への変換を行わないように構成され、
前記パケット再送手段は、
前記欠落パケットが含むパケット固有情報が表す順序以降の順序を表すパケット固有情報を含むパケットを再び前記パケット受信装置へ送信するように構成され、
前記パケット受信装置は、
前記欠落パケットが受信された場合、当該欠落パケットが含むパケット固有情報が表す順序以降の順序を表すパケット固有情報を含み、且つ、当該欠落パケットが受信された時点以降に受信されたパケットの、前記ＴＤＭ信号への変換を行うように構成された通信中継システム。
【０１１６】
これによれば、ＴＤＭ信号を確実に中継することができる。
【０１１７】
（付記５）
付記４に記載の通信中継システムであって、
前記パケット送信装置は、
前記パケットをバッファに記憶するとともに、設定された読出位置にて当該バッファに記憶されているパケットを前記パケット受信装置へ送信するように構成され、且つ、
前記パケットを送信した場合、当該パケットが含むパケット固有情報が表す順序の次の順序を表すパケット固有情報を含むパケットが記憶されている位置に前記読出位置を設定するように構成され、
前記パケット再送手段は、
前記欠落パケット特定情報を前記パケット受信装置から受信した場合、当該受信された欠落パケット特定情報により特定されるパケットが記憶されている位置に前記読出位置を設定するように構成された通信中継システム。
【０１１８】
（付記６）
付記１乃至付記５のいずれかに記載の通信中継システムであって、
前記ＴＤＭ信号は、同期転送モード（ＳＴＭ；Ｓｙｎｃｈｒｏｎｏｕｓ  Ｔｒａｎｓｆｅｒ（Ｔｒａｎｓｍｉｓｓｉｏｎ，Ｔｒａｎｓｐｏｒｔ）  Ｍｏｄｅ）にて転送される信号である通信中継システム。
【０１１９】
（付記７）
イーサネット（登録商標）方式に従ったイーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継方法であって、
前記ＴＤＭ信号を通信する第１のＴＤＭ通信網を構成するパケット送信装置は、当該第１のＴＤＭ通信網を構成する他の装置から前記ＴＤＭ信号を受信し、当該受信されたＴＤＭ信号をパケットに変換し、当該変換後のパケットを、前記ＴＤＭ信号を通信する第２のＴＤＭ通信網を構成するパケット受信装置へ前記イーサネット通信網を介して送信し、
前記パケット受信装置は、前記パケット送信装置により送信されたパケットを受信し、当該受信されたパケットをＴＤＭ信号に変換し、当該変換後のＴＤＭ信号を前記第２のＴＤＭ通信網を構成する他の装置へ送信し、
前記パケット送信装置により前記パケット受信装置へ送信されたパケットが当該パケット受信装置により受信されなかった場合、当該パケット送信装置は当該パケットを再び当該パケット受信装置へ送信する、通信中継方法。
【０１２０】
（付記８）
付記７に記載の通信中継方法であって、
前記パケット送信装置は、前記パケット内に、予め定められた規則に従って変化し、且つ、当該パケットに固有のパケット固有情報を挿入し、
前記パケット受信装置は、前記受信されたパケットに含まれるパケット固有情報と、前記規則と、に基づいて、受信されなかったパケットである欠落パケットを特定し、
前記パケット受信装置は、前記欠落パケットが特定された場合、当該欠落パケットを特定するための欠落パケット特定情報を前記パケット送信装置へ送信し、
前記パケット送信装置は、前記欠落パケット特定情報を前記パケット受信装置から受信した場合、当該受信された欠落パケット特定情報により特定されるパケットを再び当該パケット受信装置へ送信する、通信中継方法。
【０１２１】
（付記９）
付記８に記載の通信中継方法であって、
イーサネットＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するために通信されるＯＡＭ情報内に、前記欠落パケット特定情報を挿入する、通信中継方法。
【０１２２】
（付記１０）
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット送信装置であって、
前記ＴＤＭ信号を通信する第１のＴＤＭ通信網を構成し、
前記第１のＴＤＭ通信網を構成する他の装置から前記ＴＤＭ信号を受信し、当該受信されたＴＤＭ信号をパケットに変換し、当該変換後のパケットを、前記ＴＤＭ信号を通信する第２のＴＤＭ通信網を構成するパケット受信装置へ前記イーサネット通信網を介して送信するように構成され、
前記パケット受信装置へ送信されたパケットが当該パケット受信装置により受信されなかった場合、当該パケットを再び当該パケット受信装置へ送信するように構成されたパケット送信装置。
【０１２３】
（付記１１）
付記１０に記載のパケット送信装置であって、
前記パケット内に、予め定められた規則に従って変化し、且つ、当該パケットに固有のパケット固有情報を挿入するように構成され、
前記パケット受信装置により受信されなかったパケットである欠落パケットを特定するための欠落パケット特定情報を当該パケット受信装置から受信した場合、当該受信された欠落パケット特定情報により特定されるパケットを再び当該パケット受信装置へ送信するパケット再送手段を備えるパケット送信装置。
【０１２４】
（付記１２）
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット送信装置に適用されるパケット送信装置制御方法であって、
前記パケット送信装置は、前記ＴＤＭ信号を通信する第１のＴＤＭ通信網を構成し、
前記パケット送信装置制御方法は、
前記第１のＴＤＭ通信網を構成する他の装置から前記ＴＤＭ信号を受信し、当該受信されたＴＤＭ信号をパケットに変換し、当該変換後のパケットを、前記ＴＤＭ信号を通信する第２のＴＤＭ通信網を構成するパケット受信装置へ前記イーサネット通信網を介して送信し、
前記パケット受信装置へ送信されたパケットが当該パケット受信装置により受信されなかった場合、当該パケットを再び当該パケット受信装置へ送信する、パケット送信装置制御方法。
【０１２５】
（付記１３）
付記１２に記載のパケット送信装置制御方法であって、
前記パケット内に、予め定められた規則に従って変化し、且つ、当該パケットに固有のパケット固有情報を挿入し、
前記パケット受信装置により受信されなかったパケットである欠落パケットを特定するための欠落パケット特定情報を当該パケット受信装置から受信した場合、当該受信された欠落パケット特定情報により特定されるパケットを再び当該パケット受信装置へ送信する、パケット送信装置制御方法。
【０１２６】
（付記１４）
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット送信装置が実行するパケット送信装置制御プログラムであって、
前記パケット送信装置は、前記ＴＤＭ信号を通信する第１のＴＤＭ通信網を構成し、
前記パケット送信装置制御プログラムは、前記パケット送信装置に、
前記第１のＴＤＭ通信網を構成する他の装置から前記ＴＤＭ信号を受信し、当該受信されたＴＤＭ信号をパケットに変換し、当該変換後のパケットを、前記ＴＤＭ信号を通信する第２のＴＤＭ通信網を構成するパケット受信装置へ前記イーサネット通信網を介して送信し、
前記パケット受信装置へ送信されたパケットが当該パケット受信装置により受信されなかった場合、当該パケットを再び当該パケット受信装置へ送信する、処理を実行させるように構成されたパケット送信装置制御プログラム。
【０１２７】
（付記１５）
付記１４に記載のパケット送信装置制御プログラムであって、
前記パケット送信装置に、
前記パケット内に、予め定められた規則に従って変化し、且つ、当該パケットに固有のパケット固有情報を挿入し、
前記パケット受信装置により受信されなかったパケットである欠落パケットを特定するための欠落パケット特定情報を当該パケット受信装置から受信した場合、当該受信された欠落パケット特定情報により特定されるパケットを再び当該パケット受信装置へ送信する、処理を実行させるように構成されたパケット送信装置制御プログラム。
【０１２８】
（付記１６）
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット受信装置であって、
前記ＴＤＭ信号を通信する第２のＴＤＭ通信網を構成し、
前記ＴＤＭ信号を通信する第１のＴＤＭ通信網を構成するパケット送信装置により送信されたパケットを前記イーサネット通信網を介して受信し、当該受信されたパケットをＴＤＭ信号に変換し、当該変換後のＴＤＭ信号を前記第２のＴＤＭ通信網を構成する他の装置へ送信するように構成され、
前記パケット送信装置により送信されたパケットが受信されなかった場合、当該パケット送信装置に、当該パケットを再び送信させるように構成されたパケット受信装置。
【０１２９】
（付記１７）
付記１６に記載のパケット受信装置であって、
前記受信されたパケットに含まれるとともに、予め定められた規則に従って変化し、且つ、当該パケットに固有のパケット固有情報と、当該規則と、に基づいて、受信されなかったパケットである欠落パケットを特定する欠落パケット特定手段と、
前記欠落パケットが特定された場合、当該欠落パケットを特定するための欠落パケット特定情報を前記パケット送信装置へ送信する欠落パケット特定情報送信手段と、
を備えるパケット受信装置。
【０１３０】
（付記１８）
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット受信装置に適用されるパケット受信装置制御方法であって、
前記パケット受信装置は、前記ＴＤＭ信号を通信する第２のＴＤＭ通信網を構成し、
前記パケット受信装置制御方法は、
前記ＴＤＭ信号を通信する第１のＴＤＭ通信網を構成するパケット送信装置により送信されたパケットを前記イーサネット通信網を介して受信し、当該受信されたパケットをＴＤＭ信号に変換し、当該変換後のＴＤＭ信号を前記第２のＴＤＭ通信網を構成する他の装置へ送信し、
前記パケット送信装置により送信されたパケットが受信されなかった場合、当該パケット送信装置に、当該パケットを再び送信させる、パケット受信装置制御方法。
【０１３１】
（付記１９）
付記１８に記載のパケット受信装置制御方法であって、
前記受信されたパケットに含まれるとともに、予め定められた規則に従って変化し、且つ、当該パケットに固有のパケット固有情報と、当該規則と、に基づいて、受信されなかったパケットである欠落パケットを特定し、
前記欠落パケットが特定された場合、当該欠落パケットを特定するための欠落パケット特定情報を前記パケット送信装置へ送信する、パケット受信装置制御方法。
【０１３２】
（付記２０）
イーサネット（登録商標）方式に従ったイーサネット通信網を構成し、且つ、当該イーサネット通信網にて擬似ワイヤ・エミュレーションを用いることにより、ＴＤＭ（Ｔｉｍｅ  Ｄｉｖｉｓｉｏｎ  Ｍｕｌｔｉｐｌｅｘ）信号を中継する通信中継システムを構成するパケット受信装置が実行するパケット受信装置制御プログラムであって、
前記パケット受信装置は、前記ＴＤＭ信号を通信する第２のＴＤＭ通信網を構成し、
前記パケット受信装置制御プログラムは、前記パケット受信装置に、
前記ＴＤＭ信号を通信する第１のＴＤＭ通信網を構成するパケット送信装置により送信されたパケットを前記イーサネット通信網を介して受信し、当該受信されたパケットをＴＤＭ信号に変換し、当該変換後のＴＤＭ信号を前記第２のＴＤＭ通信網を構成する他の装置へ送信し、
前記パケット送信装置により送信されたパケットが受信されなかった場合、当該パケット送信装置に、当該パケットを再び送信させる、処理を実行させるように構成されたパケット受信装置制御プログラム。
【０１３３】
（付記２１）
付記２０に記載のパケット受信装置制御プログラムであって、
前記パケット受信装置に、
前記受信されたパケットに含まれるとともに、予め定められた規則に従って変化し、且つ、当該パケットに固有のパケット固有情報と、当該規則と、に基づいて、受信されなかったパケットである欠落パケットを特定し、
前記欠落パケットが特定された場合、当該欠落パケットを特定するための欠落パケット特定情報を前記パケット送信装置へ送信する、処理を実行させるように構成されたパケット受信装置制御プログラム。
【産業上の利用可能性】
【０１３４】
本発明は、イーサネット通信網を構成し、且つ、ＴＤＭ信号を中継する通信中継システム等に適用可能である。
【符号の説明】
【０１３５】
１      通信中継システム
１Ａ    通信中継システム
１１    パケット送信装置
１２    パケット受信装置
２１，２２，…  転送装置
１１０  パケット変換部
１２０  バッファ
１３０  パケット送信部
１４０  ＯＡＭ処理部
１４１  パケット再送部
２１０  再送判定部
２１１  パケット固有情報取得部
２１２  パケット制御部
２１３  欠落パケット特定部
２２０  ＴＤＭ信号変換部
２３０  ＯＡＭフレーム送信部
２３１  パケット再送指示メッセージ生成部
ＮＷＥ  イーサネット通信網
ＮＷＴ１  第１のＴＤＭ通信網
ＮＷＴ２  第２のＴＤＭ通信網
【図１】
0005942583.tif 000002
【図２】
0005942583.tif 000003
【図３】
0005942583.tif 000004
【図４】
0005942583.tif 000005
【図５】
0005942583.tif 000006
【図６】
0005942583.tif 000007
【図７】
0005942583.tif 000008
【図８】
0005942583.tif 000009
【図９】
0005942583.tif 000010
【図１０】
0005942583.tif 000011
【図１１】
0005942583.tif 000012